(57)【要約】【課題】一対のグリルバーナのガス入口に向けて精度良く且つ確実に燃料ガスを噴出させることができ、グリルバーナによる良好な燃焼状態を得ることができると共に容易に製造することができるグリルバーナ装置を提供する。【解決手段】平行に延びる一対のグリルバーナ２，３に燃料ガスを供給するガス供給手段４を設ける。ガス供給手段４は、第１ガス供給管１４と、一方のグリルバーナ３のガス入口１１に対向するガス噴出口１７を備える第２ガス供給管１６と、継ぎ手部材１５とで構成する。継ぎ手部材１５は、第１ガス供給管１４が接続される第１接続部１９と、第２ガス供給管１６が接続される第２接続部２０と、第１接続部１９と第２接続部２０とを連通させるガス流通路２４と、ガス流通路２４に連通し、他方のグリルバーナ２のガス入口８に燃料ガスを噴出させるノズル２１が装着されたノズル装着部２２とを一体に備える。【選択図】図１
2011241999.tif 000002
【特許請求の範囲】
【請求項１】
グリルの両側壁に沿って平行に延びる一対のグリルバーナと、両グリルバーナに燃料ガスを供給するガス供給手段とを備え、両グリルバーナは、夫々、長手方向に沿って分布室と混合室とガス入口とが直線上に配設されると共に分布室の一側に複数の炎孔を備えるグリルバーナ装置において、
前記ガス供給手段は、上流端が弁装置に接続された第１ガス供給管と、下流端が一方のグリルバーナのガス入口に対向するガス噴出口とされた第２ガス供給管と、前記第１ガス供給管と前記第２ガス供給管との間に介設された継ぎ手部材とを備え、
前記継ぎ手部材は、前記第１ガス供給管の下流端が接続される第１接続部と、前記第２ガス供給管の上流端が接続される第２接続部と、前記第１接続部と前記第２接続部とを連通させるガス流通路と、該ガス流通路に連通し、他方のグリルバーナのガス入口に燃料ガスを噴出させるノズルが装着されたノズル装着部とを一体に備えることを特徴とするグリルバーナ装置。
【請求項２】
前記継ぎ手部材の前記ガス流通路は、前記第１接続部と前記第２接続部とを屈曲して連通させる屈曲連通部を備えることを特徴とする請求項１記載のグリルバーナ装置。
【発明の詳細な説明】
【技術分野】
【０００１】
本発明は、グリルの両側壁に沿って平行に延びる一対のグリルバーナと、両グリルバーナに燃料ガスを供給するガス供給手段とを備えたグリルバーナ装置に関する。
【背景技術】
【０００２】
従来、ガスコンロに設けられるグリルには、グリルの両側壁に沿って平行に延びる一対のグリルバーナが下火用バーナとして設けられることが知られている（例えば、特許文献１参照）。
【０００３】
この種のグリルバーナは、長手方向に沿って分布室と混合室とガス入口とが直線上に配設されると共に分布室の一側に複数の炎孔を備えている。そして、各グリルバーナに燃料ガスを供給するガス供給手段として、コック等の弁装置に上流端が接続されたガス供給管を両グリルバーナのガス入口側に延設し、ガス供給管に一対の突出管を設けている。各突出管は、ガス供給管からグリルバーナのガス入口に向けて突出し、その先端（下流端）がガス入口に対向するガス噴出口とされてグリルバーナへ燃料ガスを供給する。
【０００４】
そして、ガス噴出口から噴出される燃料ガスは、周囲の空気を燃焼用空気として巻き込みながらガス入口へ入って混合室へ向かう。混合室では、燃料ガスに燃焼空気を混合した混合ガスが生成されて、分布室に送り込まれ、各炎孔において炎が形成される。
【先行技術文献】
【特許文献】
【０００５】
【特許文献１】特開平７−２６９８７０号公報
【発明の概要】
【発明が解決しようとする課題】
【０００６】
ところで、上記のガス供給管及び突出管は、耐熱性を考慮して金属により形成されている。そして、各突出管は、通常、ガス供給管の両グリルバーナのガス入口に対応する位置に溶接することにより設けられる。
【０００７】
しかし、両グリルバーナはグリルの両側壁に沿って水平方向に平行に設けられるのに対し、各突出管の平行度合いが不正確であると、グリルバーナのガス入口と突出管のガス噴出口との相互の軸線にズレが生じて、燃焼に最適な燃焼用空気と燃料ガスとの混合が得られず、グリルバーナへの点火が円滑に行われないおそれがあり、また良好な燃焼状態を得ることができないおそれがある。このため、ガス供給管に各突出管を設ける際には、極めて高い溶接精度が要求され、コストが増大する不都合がある。
【０００８】
更に、グリルバーナの長手方向に沿った分布室の全長にわたって混合ガスを送り込んで良好な燃焼状態を得るために、ガス供給管を細くして（内径が比較的小さいガス供給管を採用して）、ガス供給管内の燃料ガスの流速を高めることが好ましいが、ガス供給管を細くすると、両突出管を高精度に溶接することが困難となる。
【０００９】
上記の点に鑑み、本発明は、一対のグリルバーナのガス入口に向けて精度良く且つ確実に燃料ガスを噴出させることができ、グリルバーナによる良好な燃焼状態を得ることができると共に容易に製造することができるグリルバーナ装置を提供することを目的とする。
【課題を解決するための手段】
【００１０】
本発明は、グリルの両側壁に沿って平行に延びる一対のグリルバーナと、両グリルバーナに燃料ガスを供給するガス供給手段とを備え、両グリルバーナは、夫々、長手方向に沿って分布室と混合室とガス入口とが直線上に配設されると共に分布室の一側に複数の炎孔を備えるグリルバーナ装置において、前記ガス供給手段は、上流端が弁装置に接続された第１ガス供給管と、下流端が一方のグリルバーナのガス入口に対向するガス噴出口とされた第２ガス供給管と、前記第１ガス供給管と前記第２ガス供給管との間に介設された継ぎ手部材とを備え、前記継ぎ手部材は、前記第１ガス供給管の下流端が接続される第１接続部と、前記第２ガス供給管の上流端が接続される第２接続部と、前記第１接続部と前記第２接続部とを連通させるガス流通路と、該ガス流通路に連通し、他方のグリルバーナのガス入口に燃料ガスを噴出させるノズルが装着されたノズル装着部とを一体に備えることを特徴とする。
【００１１】
本発明によれば、前記第２ガス供給管と前記継ぎ手部材とが別体であり、その夫々が各グリルバーナに燃料ガスを供給するので、従来のように溶接等を不要として容易に製造することができる。しかも、前記第２ガス供給管と前記継ぎ手部材とを接続する際に、両グリルバーナのガス入口に対して、前記第２ガス供給管のガス噴出口の向きと、前記継ぎ手部材のノズルの向きとが容易に調節できる。これにより、両グリルバーナに精度良く且つ確実に燃料ガスを噴出させることができるので、グリルバーナによる良好な燃焼状態を得ることができる。
【００１２】
また、本発明において、前記継ぎ手部材の前記ガス流通路は、前記第１接続部と前記第２接続部とを屈曲して連通させる屈曲連通部を備えることが好ましい。これによれば、前記第１ガス供給管から前記継ぎ手部材のガス流通路に送られた燃料ガスが、屈曲連通部によってガス流通路の内部で分散される。これにより、前記ノズル装着部に装着されたノズルと前記第２接続部に接続された第２ガス供給管との両方に燃料ガスが円滑に分配され、両グリルバーナを共に良好に燃焼させることができる。
【図面の簡単な説明】
【００１３】
【図１】本発明の一実施形態のグリルバーナ装置を示す斜視図。
【図２】本実施形態における継ぎ手部材を示す説明的斜視図。
【図３】図２の継ぎ手装置の内部を断面視した斜視図。
【図４】図２の継ぎ手装置の断面図。
【発明を実施するための形態】
【００１４】
本発明の一実施形態を図面に基づいて説明する。図１に示すグリルバーナ装置１は、図示しないガスコンロに備えるグリルに設けられる。グリルは、前面側が開閉扉により開閉されるグリル庫を備えていて、内部に収容した調理物（魚等）を焼き網に載せて調理を行う。グリル庫の天部に上火バーナが設けられ、焼き網の両側下方にはグリル庫の両側壁に沿って一対の下火バーナが設けられる。
【００１５】
本実施形態のグリルバーナ装置１は、上記下火バーナとして採用されるものであり、図１に示すように、第１グリルバーナ２と、該第１グリルバーナ２と平行に延びる第２グリルバーナ３と、両グリルバーナ２，３に燃料ガスを供給するガス供給手段４とを備えて構成されている。
【００１６】
第１グリルバーナ２は、棒状に形成されており、長手方向に沿って延びる中空の分布室５を備えている。分布室５の一側（内側）には所定間隔を存して複数の炎孔６が形成されている。
【００１７】
分布室５の一端（グリル庫の前側に位置する先端）は閉塞されている。分布室５の他端（グリル庫の奥側に位置する基端）には、燃料ガスと燃焼用空気とが混合される混合室７が連設されている。更に、混合室７には、燃料ガスと燃焼用空気とを取り込むために拡開されたガス入口８が設けられている。
【００１８】
そして、ガス入口８、混合室７、及び分布室５は、同一直線上に並んで配設されている。
【００１９】
第２グリルバーナ３は、第１グリルバーナ２と同様の形状であり、分布室９、混合室１０及びガス入口１１が設けられている。また、分布室９の一側（第１グリルバーナ２に対向する側）には所定間隔を存して複数の炎孔１２が形成されている。
【００２０】
第１グリルバーナ２と第２グリルバーナ３とは、図示しないグリル庫の底板に固定される連結部材１３により互いに連結されている。また、第１グリルバーナ２と第２グリルバーナ３とには、図示しないが、夫々、点火プラグ及び熱電対が設けられている。
【００２１】
ガス供給手段４は、第１ガス供給管１４と、継ぎ手部材１５と、第２ガス供給管１６とによって構成されている。
【００２２】
第１ガス供給管１４は、金属製のチューブであり、一端（上流端）が図示しないコック等の弁装置に接続され、他端（下流端）が継ぎ手部材１５に接続されて、弁装置から供給される燃料ガスを継ぎ手部材１５に向かって案内する。
【００２３】
第２ガス供給管１６は、金属製のチューブであり、一端（上流端）が継ぎ手部材１５に接続され、他端（下流端）がガス噴出口１７とされている。第２ガス供給管１６は、継ぎ手部材１５から、第２グリルバーナ３の後方側に向かって直線状に延び、第２グリルバーナ３の後方位置で屈曲することによりガス噴出口１７が第２グリルバーナ３のガス入口１１に向けられている。また、第２ガス供給管１６は、支持部材１８を介して前記連結部材１３に支持され、ガス噴出口１７の軸線がガス入口１１の中央を通って延びる姿勢に固定される。
【００２４】
継ぎ手部材１５は、ダイカストによる金属製であり、図２に示すように、第１ガス供給管１４の下流端が接続される第１接続部１９と、第２ガス供給管１６の上流端が接続される第２接続部２０と、燃料ガスを噴出させるノズル２１が装着されたノズル装着部２２と、それらの下方に連設された脚部２３とを一体に備えている。
【００２５】
継ぎ手部材１５の内部には、図３に示すように、ガス流通路２４が形成されている。ガス流通路２４により、第１接続部１９と第２接続部２０とノズル装着部２２とが連通する。これにより、第１接続部１９に接続された第１ガス供給管１４から供給される燃料ガスを、ガス流通路２４を介して第２接続部２０に接続された第２ガス供給管１６に送ることができる。更に、第１接続部１９に接続された第１ガス供給管１４から供給される燃料ガスを、ガス流通路２４を介してノズル装着部２２のノズル２１から噴出させることができる。
【００２６】
更に、ガス流通路２４は、第１接続部１９と第２接続部２０とを屈曲して連通させる屈曲連通部２５を備えている。これにより、第１接続部１９に接続された第１ガス供給管１４からガス流通路２４に導入された燃料ガスが屈曲連通部２５の内壁に当たって分散される。このときの燃料ガスの分散により、第２接続部２０へ向かう燃料ガス流と、ノズル装着部２２へ向かう燃料ガス流とが確実に形成され、燃料ガスを第２ガス供給管１６とノズル２１との両方に確実に分配することができる。
【００２７】
なお、屈曲連通部２５を設けずに、第１接続部１９と第２接続部２０との軸線が同一となるように第１接続部１９と第２接続部２０とを配設してもよい。この場合には、ガス流通路２４における燃料ガスの分散が少なくなるが、その分、圧力損失を低減することができる利点がある。
【００２８】
また、図２及び図３に示すように、第１接続部１９には、第１ガス供給管１４の下流端を挿入して接続される。第１接続部１９の外壁には、ネジ部材２６により固定された抜け止め部材２７が設けられており、抜け止め部材２７が第１ガス供給管１４の外周に突出形成された係合凸部２８に係合して第１ガス供給管１４を抜け止めしている。これにより、第１接続部１９への第１ガス供給管１４の接続状態が確実に維持される。
【００２９】
同様に、第２接続部２０には、第２ガス供給管１６の上流端を挿入して接続される。第２接続部２０の外壁には、ネジ部材２９により固定された抜け止め部材３０が設けられており、抜け止め部材３０が第２ガス供給管１６の外周に突出形成された係合凸部３１に係合して第２ガス供給管１６を抜け止めしている。これにより、第２接続部２０への第２ガス供給管１６の接続状態が確実に維持される。
【００３０】
継ぎ手部材１５の脚部２３は、ネジ部材３２により台座部３３に連結される。台座部３３は、図示しないコンロ筐体の底板にグリル庫の底板と共に固定される。
【００３１】
継ぎ手部材１５のノズル装着部２２に取り付けられたノズル２１は、図４に示すように、第１グリルバーナ２のガス入口８に向かって燃料ガスを噴出する。このとき、継ぎ手部材１５は、ノズル２１の軸線がガス入口８の中央を通って延びる姿勢に台座部３３に固定される。
【００３２】
以上のように構成された本実施形態のグリルバーナ装置１によれば、ガス供給手段４を、第１ガス供給管１４と、継ぎ手部材１５と、第２ガス供給管１６とによって構成することにより、従来のような溶接による組み付けが不要となる。従って、例えば、燃料ガスの流速を高めるために、第１ガス供給管１４及び第２ガス供給管１６を細く（内径を小さく）、することも容易に行える。しかも、継ぎ手部材１５と第２ガス供給管１６とが別体であるので、継ぎ手部材１５のノズル２１の向きと、第２ガス供給管１６のガス噴出口１７の向きとを各別に精度よく調整することができ、両グリルバーナ２，３に対して精度よく確実に燃料ガスを噴出させることができるので、各グリルバーナ２，３による良好な燃焼状態を得ることができる。
【符号の説明】
【００３３】
１…グリルバーナ装置、２…第１グリルバーナ（他方のグリルバーナ）、３…第２グリルバーナ（一方のグリルバーナ）、４…ガス供給手段、５，９…分布室、６，１２…炎孔、７，１０…混合室、８，１１…ガス入口、１４…第１ガス供給管、１５…継ぎ手部材、１６…第２ガス供給管、１７…ガス噴出口、１９…第１接続部、２０…第２接続部、２１…ノズル、２２…ノズル装着部、２４…ガス流通路、２５…屈曲連通部。
【図１】
2011241999.tif 000003
【図２】
2011241999.tif 000004
【図３】
2011241999.tif 000005
【図４】
2011241999.tif 000006